(57)【特許請求の範囲】
【請求項１】
ジアリールカーボネートとＮ位に少なくとも１つの水素原子を有するモノアミンとをカルボン酸の存在下で反応させ、次いでその反応液の未反応アミンを、未反応のアミンに対して過剰量の酸を含んだ水溶液で処理して除き、その後、カルボン酸及びフェノール類を、アルカリ水溶液で処理して除去して、生成したカルバメートを分離することを特徴とするカルバメートの製法。
【請求項２】
Ｎ位に少なくとも１つの水素原子を有するモノアミンが化学構造式（Ｉ）で示される化合物であることを特徴とする請求項１に記載のカルバメートの製法。
【化１】
0004548869.tif 000004
（式中、Ｒ１はアラルキル基、アリール基、又は複素環基を表す。）
【請求項３】
Ｎ位に少なくとも１つの水素原子を有するモノアミンが化学構造式（ＩＩ）で示される化合物であることを特徴とする請求項１に記載のカルバメートの製法。
【化２】
0004548869.tif 000005
（式中、Ｒ２、Ｒ３はアルキル基、アラルキル基、アリール基、又は複素環基を表す。）
【請求項４】
Ｎ位に少なくとも１つの水素原子を有するモノアミンが芳香族１級アミン、芳香族２級アミン、又は脂肪族２級アミンであることを特徴とする請求項１に記載のカルバメートの製法。
【発明の詳細な説明】
【０００１】
【発明の属する技術分野】
本発明は、ジアリールカーボネートからカルバメートを生成させ、その反応液からカルバメートを分離して、高純度のカルバメートを容易に製造する方法に関する。カルバメートは、医薬、農薬又はその合成原料、そして各種ファインケミカルズ又はその合成原料として、更にアルコール類の分析試剤などとして広範な用途を有する有用な化合物である。
【０００２】
【従来の技術】
ジアリールカーボネートとアミン類をプロトン酸の存在下で反応させてカルバメートを製造する方法として、ジフェニルカーボネートと芳香族アミンを、有機リン酸、トリフロオロメタンスルホン酸、トリフロオロ酢酸、プロピオン酸又は芳香族アミン塩酸塩の存在下で反応させる方法〔Ｔｅｔｒａｈｅｄｒｏｎ，５１，８０７３（１９９５）〕が知られている。
【０００３】
この方法において、カルバメートは、反応溶媒（テトラヒドロフラン）を濃縮して除去した後にヘキサンを添加して析出させる方法や、反応液に直接ペンタンを添加して析出させる方法により分離されている。しかし、この分離法は、反応溶媒の濃縮操作やヘキサン又はペンタンの回収操作を必要とすることから、煩雑で回収コストもかかる上に、結晶として析出させることが困難なカルバメートには適用できないという問題もある。
【０００４】
反応液からカルバメートを結晶として析出させて分離することが困難な場合、反応液中にカルバメートと未反応のアミンが残存した状態で、溶媒の濃縮処理や蒸留分離、更にはアルカリによるカルボン酸やフェノール類の抽出分離を行うと、好ましくない生成物である尿素誘導体が増加するという問題がある。尿素誘導体は再結晶、蒸留、昇華等の操作では除去困難なものである。
また、反応液からカルバメートを結晶として析出させて分離する場合も、カルバメートと未反応のアミンが反応液に溶解した状態で、濃縮などの分離操作を行うと、同様に尿素誘導体が増加して高純度のカルバメートを得ることができないという問題がある。
【０００５】
【発明が解決しようとする課題】
本発明は、ジアリールカーボネートとアミン（特に芳香族モノアミン又は立体的にかさ高いモノアミン）を反応させてカルバメートを生成させ、そのカルバメートを容易に分離して、高純度のカルバメートを製造できる方法を提供することを課題とする。
【０００６】
【課題を解決するための手段】
本発明の課題は、ジアリールカーボネートとＮ位に少なくとも１つの水素原子を有するモノアミンとをプロトン酸の存在下で反応させてカルバメートを生成させた後、その反応液を４０℃以下に保持してカルバメートを析出させ、次いでカルバメートを分離することを特徴とするカルバメートの製法、及び
ジアリールカーボネートとＮ位に少なくとも１つの水素原子を有するモノアミンとをプロトン酸の存在下で反応させてカルバメートを生成させ、次いでその反応液から未反応アミンを除いた後、生成したカルバメートを分離することを特徴とするカルバメートの製法によって解決される。
【０００７】
【発明の実施の形態】
本発明で使用されるジアリールカーボネートとしては、少なくとも１個の同一又は異なる置換基を有していてもよい、同一のアリール基又は異なるアリール基を有するジアリールカーボネートが挙げられる。
この置換基としては、例えば、炭素数１〜１２のアルキル基（メチル基、エチル基、プロピル基、ブチル基等）、炭素数７〜１５のアラルキル基（ベンジル基、フェネチル基等）、炭素数６〜１４のアリール基（フェニル基、トリル基等）、炭素数１〜１２のアルコキシ基（メトキシ基、エトキシ基、プロポキシ基、ブトキシ基、トリフルオロメトキシ基等）、炭素数１〜１２のチオアルコキシ基（チオメトキシ基、チオエトキシ基等）、炭素数６〜１４のアリールオキシ基（フェノキシ基等）、ハロゲン原子（フッ素原子、塩素原子、臭素原子等）、ニトロ基、水酸基、シアノ基、ジアルキルアミノ基（ジメチルアミノ基等）などが挙げられる。
【０００８】
前記の置換基を有していてもよいアリール基としては、例えば、フェニル基、、ナフチル基、アントラニル基、トリル基、キシリル基、エチルフェニル基、プロピルフェニル基、オクチルフェニル基、ノニルフェニル基、ドデシルフェニル基、ビフェニリル基、メトキシフェニル基、ジメトキシフェニル基、ブトキシフェニル基、フェノキシフェニル基、クロロフェニル基、ジクロロフェニル基、トリクロロフェニル基、ペンタクロロフェニル基、ブロモフェニル基、ジブロモフェニル基、トリブロモフェニル基、ペンタブロモフェニル基、ニトロフェニル基、ジニトロフェニル基、ヒドロキシフェニル基、シアノフェニル基、ジメチルアミノフェニル基が挙げられる。なお、これらのアリール基はｏ−、ｍ−、ｐ−、ｎ−、ｉ−、ｓ−、ｔ−等の各異性体を含む。
【０００９】
本発明で使用されるジアリールカーボネートとして、例えば、
無置換の同一のアリール基を有するジアリールカーボネートとして、ジフェニルカーボネート、ジ−１−ナフチルカーボネート、ジ−２−ナフチルカーボネート、ジ−９−アントリルカーボネート等が挙げられ、
炭素数１〜１２のアルキル基で置換された同一のアリール基を有するジアリールカーボネートとして、ビス（２−トリル）カーボネート、ビス（３−トリル）カーボネート、ビス（４−トリル）カーボネート、ビス〔４−（ｔ−ブチル）フェニル〕カーボネート、ビス（４−オクチルフェニル）カーボネート、ビス（４−ノニルフェニル）カーボネート、ビス（４−ドデシルフェニル）カーボネート等が挙げられる。
【００１０】
炭素数６〜１４のアリール基で置換された同一のアリール基を有するジアリールカーボネートとしては、ビス（４−ビフェニリルフェニル）カーボネート等が挙げられ、
炭素数１〜１２のアルコキシ基で置換された同一のアリール基を有するジアリールカーボネートとしては、ビス（２−メトキシフェニル）カーボネート、ビス（３−メトキシフェニル）カーボネート、ビス（４−メトキシフェニル）カーボネート、ビス（３−ブトキシフェニル）カーボネート、ビス（４−ブトキシフェニル）カーボネート、ビス（３，５−ジメトキシフェニル）カーボネート等が挙げられ、
炭素数６〜１４のアリールオキシ基で置換された同一のアリール基を有するジアリールカーボネートとしては、ビス（４−フェノキシフェニル）カーボネート等が挙げられる。
【００１１】
ハロゲン原子で置換された同一のアリール基を有するジアリールカーボネートとしては、ビス（２−クロロフェニル）カーボネート、ビス（３−クロロフェニル）カーボネート、ビス（４−クロロフェニル）カーボネート、ビス（２，４−ジクロロフェニル）カーボネート、ビス（２，６−ジクロロフェニル）カーボネート、ビス（２，４，５−トリクロロフェニル）カーボネート、ビス（２，４，６−トリクロロフェニル）カーボネート、ビス（ペンタクロロフェニル）カーボネート、ビス（４−ブロモフェニル）カーボネート等が挙げられる。
【００１２】
ニトロ基で置換された同一のアリール基を有するジアリールカーボネートとしては、ビス（２−ニトロフェニル）カーボネート、ビス（３−ニトロフェニル）カーボネート、ビス（４−ニトロフェニル）カーボネート、ビス（２，４−ジニトロフェニル）カーボネート等が挙げられる。
【００１３】
また、異なるアリール基を有するジアリールカーボネートとしては、
無置換のアリール基と炭素数１〜１２のアルキル基で置換されたアリール基とを有するジアリールカーボネートとして、３−トリル（フェニル）カーボネート、４−トリル（フェニル）カーボネート等が挙げられ、
無置換のアリール基と炭素数７〜１５のアラルキル基で置換されたアリール基とを有するジアリールカーボネートとして、４−ベンジルフェニル（フェニル）カーボネート等が挙げられ、
【００１４】
無置換のアリール基と炭素数１〜１２のアルコキシ基で置換されたアリール基とを有するジアリールカーボネートとして、４−メトキシフェニル（フェニル）カーボネート、４−エトキシ−１−ナフタレニルフェニルカーボネート等が挙げられ、
無置換のアリール基と炭素数１〜１２のチオアルコキシ基で置換されたアリール基とを有するジアリールカーボネートとして、４−メチルチオフェニル（フェニル）カーボネート等が挙げられ、
無置換のアリール基と炭素数６〜１４のアリールオキシ基で置換されたアリール基とを有するジアリールカーボネートとして、４−フェノキシフェニル（フェニル）カーボネート等が挙げられ、
【００１５】
無置換のアリール基とハロゲン原子で置換されたアリール基とを有するジアリールカーボネートとして、２−クロロフェニル（フェニル）カーボネート、４−クロロフェニル（フェニル）カーボネート等が挙げられ、
無置換のアリール基とニトロ基で置換されたアリール基とを有するジアリールカーボネートとして、３−ニトロフェニル（フェニル）カーボネート、４−ニトロフェニル（フェニル）カーボネート、２，４−ジニトロフェニル（フェニル）カーボネート、３，４−ジニトロフェニル（フェニル）カーボネート等が挙げられ、
無置換のアリール基と水酸基で置換されたアリール基とを有するジアリールカーボネートとして、３−ヒドロキシフェニル（フェニル）カーボネート、４−ヒドロキシフェニル（フェニル）カーボネート等が挙げられる。
【００１６】
その他に、４−メトキシフェニル−４’−ニトロフェニルカーボネート、４−シアノフェニル−４’−ニトロフェニルカーボネート、４−チオメトキシフェニル−４’−ニトロフェニルカーボネート、２−クロロフェニル−４’−ニトロフェニルカーボネート等が挙げられ、更に２−ジメチルアミノフェニルフェニルカーボネート、２−ブロモ−４−シアノ−６−ニトロフェニルフェニルカーボネート、ペンタブロモフェニル−２’，４’，６’−トリブロモフェニルカーボネート等も挙げられる。
【００１７】
これらのジアリールカーボネートの中では、同一のアリール基を有するカーボネートが好適である。その中でも、ジフェニルカーボネート、ビス（２−トリル）カーボネート、ビス（４−クロロフェニル）カーボネート、ビス（４−ニトロフェニル）カーボネート、ビス（３，５−ジメトキシフェニル）カーボネートが好ましく、更にはジフェニルカーボネートが最も好ましい。
【００１８】
本発明で使用されるモノアミンとしては、化学構造式（Ｉ）又は（II）で示される化合物が好適に挙げられる。
【化３】
0004548869.tif 000002
（式中、Ｒ1 はアラルキル基、アリール基、又は複素環基を表す。）
【００１９】
【化４】
0004548869.tif 000003
（式中、Ｒ2 、Ｒ3 はアルキル基、アラルキル基、アリール基、又は複素環基を表す。）
【００２０】
化学構造式（Ｉ）において、Ｒ1 は炭素数７〜１５のアラルキル基（ベンジル基、フェネチル基等）、炭素数６〜１４のアリール基（フェニル基等）、又は複素環基（ピリジル基等）を表す。これらのアラルキル基、アリール基、複素環基は、更にアルキル基、アリール基、アルコキシ基、チオアルコキシ基、アリールオキシ基、ハロゲン原子、ニトロ基、シアノ基等を置換基として少なくとも１個有していてもよい。
【００２１】
また、化学構造式（II）において、Ｒ2 、Ｒ3 は炭素数１〜１５のアルキル基（メチル基、エチル基、プロピル基、ブチル基等）、炭素数７〜１５のアラルキル基（ベンジル基、フェネチル基等）、炭素数６〜１４のアリール基（フェニル基等）、又は複素環基（ピリジル基等）を表す。これらのアルキル基、アラルキル基、アリール基、複素環基は、更にアルキル基、アリール基、アルコキシ基、アリールオキシ基、ハロゲン原子、ニトロ基、シアノ基等を置換基として少なくとも１個有していてもよい。なお、Ｒ2 、Ｒ3 は同一であっても異なっていてもよいが、いずれかがアリール基の場合には、他方はアリール基でないことが好ましい。また、Ｒ2 、Ｒ3 は連結して環構造を形成していてもよい。
【００２２】
化学構造式（Ｉ）で示されるモノアミン類としては、例えば、以下のような化合物が挙げられる。
Ｒ1 が前記のアラルキル基であるモノアミンとして、ベンジルアミン、フェネチルアミン、ナフチルエチルアミン等が挙げられる。
【００２３】
Ｒ1 が前記のアリール基であるモノアミンとしては、
アニリン、１−ナフチルアミン、２−ナフチルアミン等のＲ1 が無置換のアリール基であるものや、
２−トルイジン、３−トルイジン、４−トルイジン、２，３−ジメチルアニリン、２，４−ジメチルアニリン、２，５−ジメチルアニリン、２，６−ジメチルアニリン、３，４−ジメチルアニリン、３，５−ジメチルアニリン、２−エチルアニリン、３−エチルアニリン、４−エチルアニリン、２，３−ジエチルアニリン、２，４−ジエチルアニリン、２，５−ジエチルアニリン、２，６−ジエチルアニリン、３，４−ジエチルアニリン、３，５−ジエチルアニリン、４−イソプロピルアニリン、２−エチル−６−メチルアニリン、２−トリフルオロメチルアニリン、３−トリフルオロメチルアニリン、４−トリフルオロメチルアニリン等のＲ1 がアルキル基を置換基として有するアリール基であるものや、
【００２４】
２−アミノジフェニル、３−アミノジフェニル、４−アミノジフェニル等のＲ1 がアリール基を置換基として有するアリール基であるものや、
２−アニシジン、３−アニシジン、４−アニシジン、２，３−ジメトキシアニリン、２，４−ジメトキシアニリン、２，５−ジメトキシアニリン、２，６−ジメトキシアニリン、３，４−ジメトキシアニリン、３，５−ジメトキシアニリン、２−メトキシ−５−メチルアニリン、４−エトキシアニリン等のＲ1 がアルコキシ基を置換基として有するアリール基であるものや、
２−メチルチオアニリン、３−メチルチオアニリン、４−メチルチオアニリン等のＲ1 がチオアルコキシ基を置換基として有するアリール基であるものや、
２−アミノジフェニルエーテル、４−アミノジフェニルエーテル等のＲ1 がアリールオキシ基を置換基として有するアリール基であるものや、
【００２５】
２−フルオロアニリン、３−フルオロアニリン、４−フルオロアニリン、２，３−ジフルオロアニリン、２，４−ジフルオロアニリン、２，５−ジフルオロアニリン、２，６−ジフルオロアニリン、３，４−ジフルオロアニリン、３，５−ジフルオロアニリン等のＲ1 がフッ素原子を置換基として有するアリール基であるものや、
２−クロロアニリン、３−クロロアニリン、４−クロロアニリン、２，３−ジクロロアニリン、２，４−ジクロロアニリン、２，５−ジクロロアニリン、２，６−ジクロロアニリン、３，４−ジクロロアニリン、３，５−ジクロロアニリン、２，４，５−トリクロロアニリン、２，４，６−トリクロロアニリン等のＲ1 が塩素原子を置換基として有するアリール基であるものや、
【００２６】
２−ブロモアニリン、３−ブロモアニリン、４−ブロモアニリン、２，３−ジブロモアニリン、２，４−ジブロモアニリン、２，５−ジブロモアニリン、２，６−ジブロモアニリン、３，４−ジブロモアニリン、３，５−ジブロモアニリン、２，４，５−トリブロモアニリン、２，４，６−トリブロモアニリン等のＲ1 が臭素原子を置換基として有するアリール基であるものや、
３−ニトロアニリン、４−ニトロアニリン等のＲ1 がニトロ基を置換基として有するアリール基であるものや、
３−シアノアニリン、４−シアノアニリン等のＲ1 がシアノ基を置換基として有するアリール基であるものや、
【００２７】
２−クロロ−６−メチルアニリン、３−クロロ−２−メチルアニリン、３−クロロ−４−メチルアニリン、４−クロロ−２−メチルアニリン、５−クロロ−２−メチルアニリン、２−クロロ−５−トリフルオロメチルアニリン、４−クロロ−２−トリフルオロメチルアニリン、４−クロロ−２，５−ジメチルアニリン、４−ブロモ−２−トリフルオロメチルアニリン等のＲ1 がアルキル基とハロゲン原子を置換基として有するアリール基であるものや、
３−クロロ−２−メトキシアニリン、４−クロロ−２−メトキシアニリン、５−クロロ−２−メトキシアニリン、５−クロロ−２，４−ジメトキシアニリン等のＲ1 がアルコキシ基とハロゲン原子を置換基として有するアリール基であるものや、
【００２８】
２−メチル−４−ニトロアニリン、４−メチル−３−ニトロアニリン、２−メトキシ−４−ニトロアニリン、２−メトキシ−５−ニトロアニリン、４−フルオロ−２−ニトロアニリン、２−クロロ−４−ニトロアニリン、４−クロロ−３−ニトロアニリン、２−シアノ−４−メチル−６−ニトロアニリン等のＲ1 がニトロ基とその他にアルキル基、アルコキシ基、ハロゲン原子、及びシアノ基から選ばれる置換基の少なくとも一つを置換基として有するアリール基であるものが挙げられる。
【００２９】
Ｒ1 が前記の複素環基であるモノアミンとしては、
２−アミノ−３−エトキシカルボニル−４−フェニルピロール等のＲ1 がピロリル基であるものや、
２−アミノ−１−メチルインドール、３−アミノ−５−エトキシ−２−フェニルインドール等のＲ1 がインドリル基であるものや、
【００３０】
２−アミノピリジン、３−アミノピリジン、４−アミノピリジン、５−アミノ−２−クロロピリジン、２−アミノ−３−クロロ−５−トリフルオロメチルピリジン、６−アミノ−２，４−ルチジン、２−アミノ−３−ピコリン等のＲ1 がピリジル基であるものや、
２−アミノキノリン、４−アミノ−２−メチルキノリン、５−アミノ−８−ヒドロキシキノリン、８−アミノキナルジン等のＲ1 がキノリル基であるものや、
３−アミノイソキノリン、４−アミノイソキノリン等のＲ1 がイソキノリル基であるものや、
９−アミノアクリジン、９−アミノ−１，２，３，４−テトラヒドロアクリジン等のＲ1 がアクリジニル基であるものや、
３−アミノ−５，６−ジメチル−１，２，４−トリアジン等のＲ1 がトリアジニル基であるものや、
【００３１】
５−アミノイミダゾール、４−アミノ−５−カルボエトキシ−１−（４−メトキシフェニル）イミダゾール等のＲ1 がイミダゾリル基であるものや、
５−アミノ−１−エチルピラゾール、５−アミノ−１−フェニルピラゾール、５−アミノ−３−メチル−１−フェニルピラゾール、３−アミノ−５−メチルピラゾール、５−アミノ−３−メチル−１−ｐ−トリルピラゾール等のＲ1 がピラゾリル基であるものや、
１−アミノベンゾトリアゾール、１−アミノ−４，５−ジフェニルトリアゾール等のＲ1 がトリアゾリル基であるものや、
５−アミノテトラゾール、１−アミノ−５−ブチルテトラゾール等のＲ1 がテトラゾリル基であるものや、
【００３２】
２−アミノピリミジン、２−アミノ−４−クロロ−６−メチルピリミジン、２−アミノ−４，６−ジクロロピリミジン、２−アミノ−４，６−ジヒドロキシピリミジン、２−アミノ−４，６−ジメトキシピリミジン、２−アミノ−４−メチル−６−メトキシピリミジン、２−アミノ−４，６−ジメチルピリミジン等のＲ1 がピリミジル基であるものや、
【００３３】
２−アミノチアゾール、２−アミノ−４，５−ジメチルチアゾール、２−アミノ−５−ニトロチアゾール等のＲ1 がチアゾリル基であるものや、
５−アミノ−３−メチルイソチアゾール、５−アミノ−４−ブロモ−３−メチルイソチアゾール等のＲ1 がイソチアゾリル基であるものや、
２−アミノベンゾチアゾール、２−アミノ−６−メチルベンゾチアゾール、２−アミノ−６−メトキシベンゾチアゾール、２−アミノ−６−エトキシベンゾチアゾール、２−アミノ−４−クロロベンゾチアゾール、６−アミノ−２−メルカプトベンゾチアゾール等のＲ1 がベンゾチアゾリル基であるものや、
２−アミノ−５−メルカプト−１，３，４−チアジアゾール、２−アミノ−５−メチル−１，３，４−チアジアゾール等のＲ1 がチアジアゾリル基であるものや、
【００３４】
２−アミノフラン、メチル−５−アミノ−２−フロエート等のＲ1 がフラニル基であるものや、
３−アミノジベンゾフラン、３−アミノ−２−メトキシジベンゾフラン等のＲ1 がベンゾフラニル基であるものや、
３−アミノクマリン、４−アミノクマリン、７−アミノ−４−メチルクマリン等のＲ1 がクマリニル基であるものや、
【００３５】
５−アミノイソオキサゾール、５−アミノ−３−メチルイソオキサゾール等のＲ1 がイソオキサゾリル基であるものや、
２−アミノベンゾオキサゾール、２−アミノ−５−クロロベンゾオキサゾール等のＲ1 がベンゾオキサゾリル基であるものなどが挙げられる。
【００３６】
化学構造式（II）で示されるモノアミンとしては、例えば、以下のような化合物が挙げられる。
Ｒ2 、Ｒ3 が前記のアルキル基であるモノアミン類として、ジイソプロピルアミン、ジ−ｓ−ブチルアミン、ジ−２−アミルアミン、ジ−２−ヘキシルアミン、ジ−２−オクチルアミン、Ｎ−ｔ−ブチルイソプロピルアミン、Ｎ−イソプロピル−１，５−ジメチルヘキシルアミン、Ｎ−ｔ−ブチルシクロヘキシルアミン、ジシクロペンチルアミン、ジシクロヘキシルアミン、ジシクロヘプチルアミン、４，４’−ジメチルジシクロヘキシルアミン等が挙げられ、
Ｒ2 、Ｒ3 が前記のアラルキル基であるモノアミンとして、ジベンジルアミン、ジフェネチルアミン、４，４’−ジメチルジベンジルアミン、ビス（２，４−ジメトキシベンジル）アミン、Ｎ−ベンジル−α−（３−メトキシフェニル）フェネチルアミン、ジピペロニルアミン、ジ−１−インダニルアミン等が挙げられ、
【００３７】
Ｒ2 、Ｒ3 が前記のアルキル基及びアラルキル基であるモノアミンとして、Ｎ−ベンジルメチルアミン、Ｎ−ベンジルエチルアミン、Ｎ−ベンジルイソプロピルアミン、Ｎ−ベンジル−ｔ−ブチルアミン、Ｎ−ベンジルシクロプロピルアミン、Ｎ−（２−クロロエチル）ベンジルアミン、３−ベンジルアミノプロピオニトリル、Ｎ−（４−クロロベンジル）メチルアミン、Ｎ−エチル−４−メトキシベンジルアミン、Ｎ−イソプロピル−２−クロロ−６−フルオロベンジルアミン、Ｎ−（３−メトキシプロピル）−３，４，５−トリメトキシベンジルアミン、Ｎ−シクロプロピルベラトリルアミン、１，２−ジフェニルエチル−Ｎ−メチルアミン、α−（３，４−ジメトキシフェニル）−Ｎ−メチルフェネチルアミン等が挙げられ、
【００３８】
Ｒ2 、Ｒ3 が前記のアルキル基及びアリール基であるモノアミンとして、Ｎ−メチルアニリン、Ｎ−エチルアニリン、Ｎ−プロピルアニリン、Ｎ−ブチルアニリン、Ｎ−シクロヘキシルアニリン、Ｎ−アリルアニリン、Ｎ−エチル−３−トルイジン、Ｎ−エチル−２，３−キシリジン、Ｎ−メチル−４−アニシジン、３，４−メチレンジオキシ−Ｎ−エチルアニリン、Ｎ−メチル−４−クロロアニリン、Ｎ−メチル−４−フルオロアニリン、Ｎ−エチルナフチルアミン等が挙げられ、
Ｒ2 、Ｒ3 が前記のアラルキル基及びアリール基であるモノアミンとして、Ｎ−ベンジルアニリン、Ｎ−ベンジル−３−トリフルオロメチルアニリン、Ｎ−（４−フルオロフェニル）−４−メトキシベンジルアミン、Ｎ−（４−ブロモフェニル）ベラトリルアミン、Ｎ−（４−クロロフェニル）−４−メチルベンジルアミン等が挙げられる。
【００３９】
また、Ｒ2 、Ｒ3 が連結して環構造を形成しているモノアミンとしては、３，５−ジメチルモルホリン、２，５−ジメチルピロリジン、２，６−ジメチルピロリジン、６，７−ジメトキシ−１，２，３，４−テトラヒドロイソキノリン、１，２，３，４−テトラヒドロイソキノリン、１，２，３，４−テトラヒドロキノリン、ベンゾチアゾリン、２，３−ジヒドロインドール、２−ｔ−ブチル−３−（４−クロロフェニル）アジリジン等のＮ位に１個の水素原子を有する含窒素複素環化合物が挙げられる。
【００４０】
本発明では、プロトン酸の存在下で、ジアリールカーボネートとモノアミンとの反応が行われる。
本発明で使用されるプロトン酸としては、無機プロトン酸として、ハロゲン化水素酸（塩酸、臭化水素酸等）、硫酸、リン酸などが挙げられ、有機プロトン酸として、カルボン酸、有機リン酸、有機スルホン酸などが挙げられる。プロトン酸の中では有機プロトン酸（カルボン酸、有機リン酸、有機スルホン酸など）が好ましく、中でもカルボン酸が特に好ましい。
【００４１】
前記のカルボン酸としては、
酢酸、プロピオン酸、酪酸、吉草酸、イソ吉草酸等の１級アルキル基がカルボキシル基と結合している炭素数２〜１６のカルボン酸や、
イソ酪酸、２−メチルブタン酸等の２級アルキル基がカルボキシル基と結合している炭素数４〜１６のカルボン酸や、
ピバリン酸、トリエチル酢酸、２，２−ジメチルブタン酸等の３級アルキル基がカルボキシル基と結合している炭素数４〜１６のカルボン酸や、
シクロペンタンカルボン酸、シクロヘキサンカルボン酸、１−メチルシクロヘキサンカルボン酸、デカリンカルボン酸、１−アダマンタンカルボン酸等の前記２級又は３級アルキル基が環構造を形成している（シクロアルキル基がカルボキシル基と結合している）炭素数６〜１６のカルボン酸（シクロアルカンカルボン酸）や、
【００４２】
安息香酸、フルオロ安息香酸、クロロ安息香酸、ジクロロ安息香酸、トルイル酸、アニス酸、サリチル酸、ナフタレンカルボン酸、アントラセンカルボン酸、フタル酸、イソフタル酸、テレフタル酸等のアリール基がカルボキシル基と結合している炭素数７〜１８のカルボン酸（炭素環式芳香族カルボン酸）や、
フランカルボン酸、チオフェンカルボン酸、ピリジンカルボン酸、ピロールカルボン酸等の複素環基がカルボキシル基と結合している炭素数５〜１６のカルボン酸（複素環芳香族カルボン酸）が挙げられる。
これらカルボン酸の中では、３級アルキル基がカルボキシル基と結合しているカルボン酸、シクロアルカンカルボン酸、炭素環式芳香族カルボン酸、複素環芳香族カルボン酸が好ましい。
【００４３】
なお、ここで、１級アルキル基とは、アルキル基を構成する炭素原子のうち、カルボキシル基に結合すいる炭素原子が少なくとも２個の水素原子を有しているものを言い、好ましくは炭素数１〜１５のものであり、２級アルキル基とは、アルキル基を構成する炭素原子のうち、カルボキシル基に結合する炭素原子が１個の水素原子を有しているものを言い、好ましくは炭素数３〜１５のものであり、３級アルキル基とは、アルキル基を構成する炭素原子のうち、カルボキシル基に結合する炭素原子が水素原子を有していないもののを言い、好ましくは炭素数４〜１５のものである。
【００４４】
前記の有機リン酸としては、ジメチルホスフィン酸、ジブチルホスフィン酸、エチルメチルホスフィン酸、ジデシルホスフィン酸、フェニルプロピルホスフィン酸、ジフェニルホスフィン酸、ビス（２−メトキシフェニル）ホスフィン酸、ビス（３−メトキシフェニル）ホスフィン酸、ビス（４−メトキシフェニル）ホスフィン酸、ビス（４−クロロフェニル）ホスフィン酸等のホスフィン酸が挙げられる。
また、前記の有機スルホン酸としては、メタンスルホン酸、ベンゼンスルホン酸、トルエンスルホン酸等が挙げられる。
【００４５】
ジアリールカーボネートとモノアミンとの反応は、例えば、反応器に前記のジアリールカーボネート、モノアミン及びプロトン酸を所定量仕込み、更に必要に応じて反応溶媒を共存させて、非常に温和な条件で行われる。
このとき、反応温度は原料化合物や反応溶媒により異なるが、反応温度が高くなると尿素誘導体が多く副生して好ましくない場合があるため、−３０℃〜２００℃、特に−５℃〜１５０℃であることが好ましい。反応圧力は常圧、加圧、減圧のいずれの条件でもよく、特に制限されない。なお、反応は攪拌しながら行うことが好ましいが、特に制限されるものではない。
【００４６】
モノアミンの仕込み量は、例えば、ジアリールカーボネートに対して０．１〜１０倍モル、特に０．３〜３倍モル、更には０．５〜２倍モルであることが好ましい。
また、前記プロトン酸の仕込み量は、例えば、ジアリールカーボネートに対して０．００５〜４倍モル、特に０．０１〜２倍モル、更には０．０２〜１．５倍モルであることが好ましい。なお、単独で使用しても複数で使用してもよく、またモノアミンとの塩の形態で使用しても差し支えない。
【００４７】
反応溶媒は、原料のジアリールカーボネートやモノアミン、生成物のカルバメート、及びカルボン酸に対して不活性であるか又は反応性が低いもの、更にカルバメートを容易に析出させるものであれば、特に制限されるものではない。
反応溶媒としては、例えば、脂肪族炭化水素類（ヘキサン、ペンタン、石油エーテル、リグロイン、シクロドデカン、デカリン等）、芳香族炭化水素類（ベンゼン、トルエン、キシレン、エチルベンゼン、イソプロピルベンゼン、ｎ−ブチルベンゼン、シクロヘキシルベンゼン、テトラリン、クロロベンゼン、ｏ−ジクロロベンゼン、メチルナフタレン、クロロナフタレン等）などが使用される。このような反応溶媒を使用すると、生成したカルバメートが反応終了後に反応液から析出するため、高純度のカルバメートを非常に容易に分離することができる。
【００４８】
反応溶媒は、例えば、ジアリールカーボネート１重量部に対して０〜５０重両部、好ましくは０〜２０重量部、更に好ましくは０〜１０重量部使用される。但し、モノアミンとして芳香族アミンや２級アミンを使用する場合、反応溶媒は、例えば、ジアリールカーボネート１重量部に対して０〜１０重両部、好ましくは０〜５重量部使用される。反応溶媒を使用しない場合は、カルバメートの分離操作を容易にするため、反応終了後に反応溶媒をこの割合で反応液に添加することが好ましい。なお、反応溶媒は単独で使用しても、複数を混合して使用してもよい。
反応溶媒は特に反応液全体が固化するような場合に操作性をよくするために使用されるが、カルバメートの分離操作を容易にするため、反応終了後に更に反応液に追加しても差し支えない。この場合、反応溶媒は、例えば、ジアリールカーボネート１重両部に対して０．５〜２０重両部、好ましくは１〜１０重両部追加される。
【００４９】
反応終了後、生成したカルバメートは、反応液を４０℃以下、好ましくは４０℃〜−３０℃、更に好ましくは３０℃〜−２５℃に保持して、反応液からカルバメートを析出させ、これを濾過又は遠心分離などすることにより分離される。反応液を保持する温度は、原料及び生成物、更に反応溶媒の種類によって異なるが、４０℃以下で反応溶媒が固化する温度以上の範囲である。反応温度がこの温度範囲に入っている場合、カルバメートは反応終了後に反応液から析出しているので、反応液を特に前記の温度範囲に保持することなく、そのまま分離される。反応で前記の反応溶媒を用いなかった場合は、前記の水に難溶性の反応溶媒を添加した後に同様に反応液を処理することが好ましい。
なお、プロトン酸の種類によっては、プロトン酸のモノアミン塩がカルバメートと共に析出することもあるが、これはその結晶を水洗する方法などにより容易に除去される。また、プロトン酸のモノアミン塩がカルバメートより析出しやすい場合には、カルバメートが析出する前にプロトン酸のモノアミン塩を固体として分離したり、プロトン酸のモノアミン塩とカルバメートを含む結晶から有機溶媒でカルバメートを抽出することができる。
【００５０】
また、生成したカルバメートの分離は、反応終了後、その反応液から未反応アミンを除いた後にカルバメートを分離することによっても行われる。この方法は、特に反応液からカルバメートを結晶として析出させることが困難な場合に有効である。
反応液中の未反応アミンは、未反応アミンに対して過剰量（１〜３０倍モル、好ましくは１〜１０倍モル）の酸を含んだ水溶液で反応液を処理することにより、水層に抽出して除去することが好ましい。このとき、酸としてはさまざまの酸を使用できるが、例えば、塩酸、硫酸等の無機酸が好適に使用される。反応で前記の溶媒を用いなかった場合は、前記の水に難溶性の反応溶媒を添加した後に同様に未反応アミンを除去することが好ましい。
【００５１】
次いで、未反応アミンを除去した後の反応液に適当な後処理を行って、カルバメートが分離される。例えば、この反応液から、反応溶媒、カルボン酸及びフェノール類を蒸留で除いて得られる固体をそのまま取り出したり、この固体を溶媒で洗浄したり再結晶することにより、カルバメートが分離される。また、この反応液をアルカリ水溶液で処理してカルボン酸やフェノール類を除いた後（更に必要であればフェノール類を蒸留で除いた後）、反応溶媒を蒸留で除いて得られる固体をそのまま分離したり、これを溶媒で洗浄したり再結晶することによっても、カルバメートが分離される。なお、このアルカリ処理の方法は、前記の反応液からカルバメートを析出させて分離する方法において、カルバメートを分離した後の母液中に残存するカルバメートを回収する際にも有効である。
【００５２】
前記の洗浄や再結晶に使用される溶媒としては、例えば、脂肪族炭化水素類（ペンタン、ヘキサン、石油エーテル、リグロイン、シクロヘキサン、シクロドデカン、デカリン等）、芳香族炭化水素類（ベンゼン、トルエン、キシレン、エチルベンゼン、イソプロピルベンゼン、ｎ−ブチルベンゼン、テトラリン、クロロベンゼン等）、アルコール類（エタノール、イソプロパノール、ｎ−ブタノール、イソアミルアルコール、シクロヘキサノール等）、エーテル類（ジ−ｎ−プロピルエーテル、ジイソプロピルエーテル、ジ−ｎ−ブチルエーテル等）、エステル類（酢酸エチル、酢酸イソプロピル、酢酸ｎ−ブチル、酢酸イソブチル、酢酸ｎ−アミル、酢酸イソアミル、酢酸シクロヘキシル等）、ケトン類（メチルイソブチルケトン、ジイソブチルケトン、シクロヘキサノン等）が挙げられる。
以上のようにして得られたカルバメートは高純度のものであるが、必要に応じて再結晶、蒸留、昇華又はカラムクロマトグラフィー等により更に精製される。
【００５３】
【実施例】
次に、実施例及び比較例を挙げて本発明を具体的に説明する。なお、収率はジアリールカーボネートに対してモル基準で求めた。
実施例１
還流管を取り付けた内容積２０ｍｌのガラス製反応器に、ジフェニルカーボネート（０．０１モル）、アニリン（０．０１２モル）、ピバリン酸（０．００２モル）及びシクロヘキサン４ｍｌを入れて、常圧下、バス温８５℃で５時間加熱攪拌した。
反応終了後、反応液を室温（２５℃）まで冷却して、Ｎ−フェニルカルバミン酸フェニルの白色結晶を析出させた。これを濾過・分離し、得られた結晶をシクロヘキサンで２回洗浄して、減圧下で乾燥し、Ｎ−フェニルカルバミン酸フェニル１．５９ｇを得た。更に、母液から析出した結晶を濾過・分離し、同様の処理を行って、Ｎ−フェニルカルバミン酸フェニル０．２５ｇを得た。Ｎ−フェニルカルバミン酸フェニルの合計収率は８６．３％であった。また、得られたＮ−フェニルカルバミン酸フェニルの純度は９８重量％以上であり、Ｎ，Ｎ’−ジフェニル尿素の混入量は０．３重量％以下であった。
【００５４】
実施例２
ピバリン酸を安息香酸（０．００２モル）に代えたほかは、実施例１と同様に反応と分離を行って、Ｎ−フェニルカルバミン酸フェニルを合計收率８３．５％で得た。得られたＮ−フェニルカルバミン酸フェニルの純度は９８重量％以上であり、Ｎ，Ｎ’−ジフェニル尿素の混入量は０．８重量％であった。
【００５５】
実施例３
ピバリン酸をジフェニルホスフィン酸（０．０００５モル）に代え、反応時間を２４時間に変えたほかは、実施例１と同様に反応と分離を行って、Ｎ−フェニルカルバミン酸フェニルを合計収率８５．４％で得た。得られたＮ−フェニルカルバミン酸フェニルの純度は９８重量％以上であり、Ｎ，Ｎ’−ジフェニル尿素の混入量は１．２重量％であった。
【００５６】
実施例４
内容積２００ｍｌのガラス製反応器に、ジフェニルカーボネート（０．２モル）、アニリン（０．２４モル）及び酢酸（０．０４モル）を入れて、常圧下、バス温７５℃で３．５時間加熱攪拌した。
反応終了後、反応物を酢酸エチル２００ｍｌに溶解させ、これを塩酸水溶液（３６重量％塩酸５．５ｇと水１００ｍｌで調製）で洗浄して未反応のアニリンを除去した。有機層を分離して水５０ｍｌで洗浄し、更に炭酸ナトリウム水溶液（炭酸ナトリウム５．５ｇと水５０ｍｌで調製）で洗浄した後、無水硫酸マグネシウムで乾燥した。次いで、有機層から酢酸エチルとフェノールを蒸留で除き、得られた粗カルバメート４９．１３ｇをトルエン８０ｍｌから再結晶して、Ｎ−フェニルカルバミン酸フェニル３５．１８ｇを得た。更に、再結晶母液を濃縮して得られた固体を再結晶して、Ｎ−フェニルカルバミン酸フェニル２．１６ｇを得た。Ｎ−フェニルカルバミン酸フェニルの合計収率は８７．６％であった。また、得られたＮ−フェニルカルバミン酸フェニルの純度は９９．５重量％であり、Ｎ，Ｎ’−ジフェニル尿素の混入量は０．１重量％以下であった。
【００５７】
実施例５
内容積５０ｍｌのガラス製反応器に、ジフェニルカーボネート（０．０５モル）、アニリン（０．０６モル）及びｐ−トルエンスルホン酸（０．０１モル）を入れて、常圧下、バス温８５℃で１１．２５時間加熱攪拌した。
反応終了後、反応物を酢酸エチル５０ｍｌに溶解させ、これを塩酸水溶液（３６重量％塩酸５．０ｇと水２０ｍｌで調製）で洗浄して未反応のアニリンを除去した。有機層を分離して水２０ｍｌで洗浄し、更に炭酸ナトリウム水溶液（炭酸ナトリウム２．０ｇと水２０ｍｌで調製）で洗浄した。次いで、有機層から酢酸エチルとフェノールを蒸留で除き、得られた蒸留残渣ををイソプロパノールから再結晶して、Ｎ−フェニルカルバミン酸フェニル７．０２ｇを得た（収率６５．８％）。得られたＮ−フェニルカルバミン酸フェニルの純度は９９．５重量％であり、Ｎ，Ｎ’−ジフェニル尿素の混入量は０．１重量％以下であった。
【００５８】
比較例１
塩酸水溶液で未反応のアニリンを除去しなかったほかは、実施例５と同様に反応と分離を行った。その結果、酢酸エチルとフェノールを蒸留で除いて得られた蒸留残渣には、多量のＮ，Ｎ’−ジフェニル尿素が生成しており、高純度のＮ−フェニルカルバミン酸フェニルを再結晶で得ることはできなかった。
【００５９】
【発明の効果】
本発明により、ジアリールカーボネートをアミン（特に芳香族モノアミン又は立体的にかさ高いモノアミン）と反応させてカルバメートを生成させ、そのカルバメートを分離して、高純度のカルバメートを容易に製造することができる。